(57)【要約】【課題】本発明は連結管を円滑に屈曲させ、使用する際、的を狙い易く、且つ連結管にも無理な力が加わらないトリガースプレーを提供すること。【解決手段】容器口部に取り付けられるベース体９と、該ベース体９と一体となったシリンダー２と、該シリンダー２内を摺動するピストン１と、該ベース体９に第１端部７４を回動可能に支持させ、ピストン１に枢着させた天秤アーム７と、天秤アーム７に対して復帰力を与えるスプリング６と、水平方向に押すことにより天秤アーム７を回動させるスライダー３と、ベース体９に取り付けられたハウジング１０と、該ハウジング１０に固定されたノズル部４と、該ノズル部４とピストン１を連結する連結管５を備え、該連結管５が屈曲性を有し、スライダー３を引き込んで移動させることによりピストン１内の液を、連結管５を介してノズル部４から噴射させるトリガースプレーＡ。【選択図】図１
2010063980.tif 000002
【特許請求の範囲】
【請求項１】
容器口部に取り付けられるベース体と、該ベース体と一体となったシリンダーと、
該シリンダー内を摺動するピストンと、
該ベース体に回動可能に支持されており一方の端部（第１端部）をピストンに枢着した天秤アームと、
且つ天秤アームに対して復帰力を与えるスプリングと、
天秤アームの他方の一端（第２端部）に当接し、水平方向に押すことにより天秤アームを回動させるスライダーと、
ベース体に取り付けられたハウジングと、該ハウジングに固定されたノズル部と、該ノズル部とピストンを連結する連結管を備え、
該連結管が屈曲性を有し、
スライダーを引き込んで移動させることによりピストン内の液を、連結管を介してノズル部から噴射させることを特徴とするトリガースプレー。
【請求項２】
スライダーはベース体に沿って移動可能であることを特徴とする請求項１記載のトリガースプレー。
【請求項３】
ベース体にフック状の起立した掛止部を備え、該掛止部に天秤アームが支持されていることを特徴とする請求項１記載のトリガースプレー。
【請求項４】
天秤アームは、スライダーの移動により第２端部が上方に移動し、第１端部が下方に移動することを特徴とする請求項１記載のトリガースプレー。
【請求項５】
スプリングが基部と該基部からＵ字状に湾曲して突出し先端で連結された湾曲バネ部とよりなり、基部がベース体に形成された係止部に係止され、先端の連結部が天秤アームの第１端部に形成された掛止爪に掛止されていることを特徴とする請求項１記載のトリガースプレー。
【請求項６】
ハウジングにノズル部及びスライダーを露出するための切欠き部が形成されていることを特徴とする請求項１記載のトリガースプレー。
【請求項７】
ノズル部を閉鎖するためのストッパーがハウジングに掛止されていることを特徴とする請求項１記載のトリガースプレー。
【発明の詳細な説明】
【技術分野】
【０００１】
本発明は、トリガーを回動移動させることによりピストンを押し下げて容器に通じるシリンダー内の液体をノズルより噴射させるトリガースプレーに関するものである。
【背景技術】
【０００２】
従来、薬剤等の液体を吹き付けるためにスプレー容器が使用されている。
スプレー容器に取り付けられた吹き付け機構であるポンプディスペンサには、例えばトリガースプレーが使用されている（特許文献１参照）。
このトリガースプレーは、回動自在にベースに「く」の字に屈折したトリガー部材２０７と、ピストン２０１と、を接合し、且つトリガー部材２０７の自由端を水平移動可能なスライダー２０３に当接させた構造となっている（図１１参照）。
【０００３】
このような構造とすることで、スライダー２０３を引き込む動作が直線的になり、トリガースプレーを使用する者の操作が簡便になる。
また、スライダー２０３が容器の幅から突出しない形状となっているため、嵩張らず、携帯に便利である。
【０００４】
【特許文献１】特開２００８−１１４１０３号公報
【発明の開示】
【発明が解決しようとする課題】
【０００５】
しかしながら、上記特許文献記載のトリガースプレーには、ピストン２０１と接合されたノズル部２０４がハウジング２１０に固定されていないため、スライダー２０３を引き込んでピストン２０１を降下させると、その運動に伴いノズル部２０４も降下するという問題があった。
そのため、トリガースプレーを使用する際、的を狙いにくく、定めた箇所に的確に液体を噴射させることが難しい。
【０００６】
この問題を解決するために、ハウジングにノズル部を固定し、該ノズル部とピストンとを屈曲性を有する連結管で接続するという対応策が考えられる。
しかしながら、上記特許文献に記載されているトリガースプレーにこのような構造を取り入れても、ピストンとトリガー部材との接合部がトリガー部材の回動軸の位置より内側、すなわちスライダーとトリガー部材との接触部側の位置にあるため、連結管がピストンの上下運動に必ずしも十分追従できない。
換言すると、このような構造では連結管の長さが十分でないためピストンの上下運動によって無理な力が生じる結果、スライダーのスムースな運動にも悪影響を与えることとなる。
【０００７】
本発明は以上の課題を解決すべく開発されたものである。すなわち、本発明は連結管を円滑に屈曲させ、使用する際、的を狙い易く、且つ連結管にも無理な力が加わらないトリガースプレーを提供することを目的とする。
【課題を解決するための手段】
【０００８】
本発明者は、以上のような課題背景をもとに鋭意研究を重ねた結果、ピストンと枢着し、これを上下移動させるための天秤アームの回動軸の位置を工夫することで上記の課題を解決できることを見出し、その知見に基づいて本発明を完成させたものである。
【０００９】
すなわち本発明は、（１）容器口部に取り付けられるベース体と、該ベース体と一体となったシリンダーと、該シリンダー内を摺動するピストンと、該ベース体に回動可能に支持されており一方の端部（第１端部）をピストンに枢着した天秤アームと、且つ天秤アームに対して復帰力を与えるスプリングと、天秤アームの他方の一端（第２端部）に当接し、水平方向に押すことにより天秤アームを回動させるスライダーと、ベース体に取り付けられたハウジングと、該ハウジングに固定されたノズル部と、該ノズル部とピストンを連結する連結管を備え、該連結管が屈曲性を有し、スライダーを引き込んで移動させることによりピストン内の液を、連結管を介してノズル部から噴射させるトリガースプレーに存する。
【００１０】
また本発明は、（２）スライダーはベース体に沿って移動可能である上記（１）記載のトリガースプレーに存する。
【００１１】
また本発明は、（３）ベース体にフック状の起立した掛止部を備え、該掛止部に天秤アームが支持されている上記（１）記載のトリガースプレーに存する。
【００１２】
また本発明は、（４）天秤アームは、スライダーの移動により第２端部が上方に移動し、第１端部が下方に移動する上記（１）記載のトリガースプレーに存する。
【００１３】
また本発明は、（５）スプリングが基部と該基部からＵ字状に湾曲して突出し先端で連結された湾曲バネ部とよりなり、基部がベース体に形成された係止部に係止され、先端の連結部が天秤アームの第１端部に形成された掛止爪に掛止されている上記（１）記載のトリガースプレーに存する。
【００１４】
また本発明は、（６）ハウジングにノズル部及びスライダーを露出するための切欠き部が形成されている上記（１）記載のトリガースプレーに存する。
【００１５】
また本発明は、（７）ノズル部を閉鎖するためのストッパーがハウジングに掛止されている上記（１）記載のトリガースプレーに存する。
【００１６】
なお、本発明の目的に添ったものであれば上記の（１）から（７）を適宜組み合わせた構成も採用可能である。
【発明の効果】
【００１７】
本発明のトリガースプレーにおいては、ハウジングに固定されたノズル部と、ピストンとが屈曲性を有する連結管で結合されているので、ピストンが上下移動してもノズル部は上下移動しない。その結果、本発明の使用者は狙った箇所に的確に液体を噴射させることができる。
【００１８】
さらに、ピストンを上下移動させるために、ピストンと枢着している天秤アームの回動軸が、ピストンと天秤アームとの枢着部分と、天秤アームの第２端部とスライダーとの当接部分との間に位置しているため、連結管を長くすることができ、ピストンの上下移動に十分追従することができる。
そのため、スライダーもスムースに移動することができる。
【発明を実施するための最良の形態】
【００１９】
（第１の実施形態）
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２０】
図１及び図２は、本実施形態のトリガースプレーを示す断面図で、図１はスライダーを引き込む前を示し、図２は、スライダーを引き込んだ後を示す。
図３は、本実施形態のトリガースプレーの外観図である。
図４は、本実施形態のトリガースプレーの展開図である。
本実施形態のトリガースプレーＡは洗剤、薬液等の種々の液体を収容した容器の口に取り付けられ、使用する場合は、これに備えられたスライダー３に指を当て手前に引き込むことによって、液体をノズル部４から噴射するものである。
【００２１】
本実施形態のトリガースプレーＡは、スライダー３を引き込んでもノズル部４の位置（高さ）が変化しない構造となっている。そのため、使用者は狙いを定めた箇所に的確に液体を噴射させることができる。
これはハウジング１０に固定されたノズル部４と、ピストン１と、が屈曲性を有する連結管５を介して結合されることにより実現している。
【００２２】
さらに、連結管５を長くしてピストン１の上下方向の移動に確実に追従できるようにするため、ピストン１を上下移動させるための天秤アーム７の回動軸が、ピストン１と天秤アーム７との枢着部と、天秤アーム７の第２端部７３とスライダー３との当接部と、の間に配置されている。
また、回動軸をこのような位置に配設することで、連結管５を長くすることができ、ピストン１の上下移動に十分追従することができる。
【００２３】
そして、連結管５が長くなることにより、連結管自体の動きの自由度が大きくなり、ピストン１の動きにつられて連結管５が無理なく屈曲でき、連結管５に余計な力が加わらない。
【００２４】
次に、トリガースプレーＡについて具体的に説明する。
図１及び図２に示すように、トリガースプレーＡは容器Ｂに取り付けられるものであって、ピストン１と、シリンダー２と、スライダー３と、ノズル部４と、連結管５と、スプリング６と、天秤アーム７と、吸上げチューブ部８と、ベース体９と、ハウジング１０と、を備える。そして、シリンダー２とベース体９とは一体に成形されている。
【００２５】
ノズル部４はハウジング１０に内側から固定されており、且つハウジング１０に形成された切欠き部Ｋを通して外部に露出している。
また、ノズル部４とピストン１とは、その周囲に図示しない多数のヒダが形成された屈曲性を有する連結管５を介して結合されている。
ここで、ノズル部４と連結管５とピストン１とは、一体に成形することも可能であり、その場合は、連結管５の部分を肉薄にして屈曲性を高めることができ、或いは多色成形により連結管５の部分のみ別材料を使って屈曲性を与えても良い。
【００２６】
このようにノズル部４がハウジング１０に固定され、且つノズル部４が屈曲性を有する連結管５を介してピストン１に結合されているため、スライダー３の移動に伴ってピストン１が下方へ移動しても、連結管５のみが屈曲するように追従するため、ノズル部が従来のようにピストンの動きと共に下方へ移動せず、ノズル部４の位置（高さ）は変化しない。
なお、連結管５の外周には図示しない多数の円盤状のリブが形成されており、それにより屈曲しても断面が変形しないので液の通りが悪くならない。
【００２７】
スライダー３はトリガースプレーＡを使用する際、ノズル部４を手前に向けて親指で握って指を当てる部分であって、ここに加えられた引き込み力は、スライダー３に当接する天秤アーム７によってピストン１を押し下げる力へと変換される。
なお、このようにノズル部４を手前に向けて使用するのが原則であるが、ノズル部４を反対側に向けスライダー３に人差し指や中指を当てた状態で使用することも当然可能である。
【００２８】
図５（Ａ）は、天秤アームを下方から見た斜視図であり、  図５（Ｂ）は、天秤アームを上方から見た斜視図である。
また、図６は天秤アームを上方から見た斜視図である。
図５（Ａ）、図５（Ｂ）及び図６に示すように、ピストン１の側面には互いに外方に延びた一対の係合突起１２が形成されており、この係合突起１２が天秤アーム７の係合部７１に嵌め込まれることで、ピストン１と天秤アーム７とが枢着されている。
【００２９】
また、天秤アーム７にはアーム左部７Ａとアーム右部７Ｂとを連結するための連結軸７２が形成されており、この連結軸７２はベース体９と一体に設けられたフック状に起立した掛止部９１に回動自在に支持される（図１及び図２参照）。
【００３０】
アーム左部７Ａとアーム右部７Ｂからは斜め上方に延びた延出部７Ｃが形成されている。この延出部７Ｃの端部である第２端部７３は、ベース体９に対して水平方向に移動自在に取り付けられたスライダー３に当接している。
第２端部７３は曲面状に形成されているため、スライダー３が引き込まれた際の摩擦が極力少なくなっている。
【００３１】
スライダー３がトリガースプレーＡの内方に引き込まれると、スライダー３が第２端部７３を水平方向に押し、天秤アーム７は連結軸７２を中心に上向き（時計回り）に回動する。  
そして、天秤アーム７が上向きに回動すると、ピストン１と天秤アーム７との枢着部は連結軸７２を挟んでスライダー３とは反対側に位置するため、ピストン１は下方へ押し下げられる。
【００３２】
スプリング６はスライダー３の移動によって押し下げられた天秤アーム７を元の位置へと戻すために復帰力を与えるもので、図７に示すように、基部６２Ｂと、基部６２ＢからＵ字状に突出した一対の湾曲バネ部６１Ａ、６１Ｂと、二つの湾曲バネ部の先端部同士を連結する連結部６２Ａと、で構成されている。
そして、基部６２Ｂがベース体９に設けられた係止部９２に嵌り込むことにより、スプリング６はベース体９に固定される（図６参照）。
【００３３】
一方、連結部６２Ａは天秤アーム７の第１端部７４に形成された掛止爪７４Ａ、７４Ｂに掛止されており、スプリング６が天秤アーム７に与える復帰力は連結部６２Ａと掛止爪７４Ａ、７４Ｂとの当接部分を通じて天秤アーム７に伝えられる。
本実施形態においては、連結部６２Ａの形状は丸棒となっているため、掛止爪７４Ａとの接触抵抗が極力小さくなり、スプリング６が与える復帰力が効率よく天秤アーム７に伝達される。
【００３４】
図８は、スライダーを示す斜視図である。
図に示すように、スライダー３は側壁部３１と底壁部３２とよりなり断面はコの字状に形成されており、その下方にはＴ字部材３３を備えている。
Ｔ字部材３３はベース体９に形成されたＴ形の溝部９４に嵌り込む。
このため、スライダー３は左右にグラつくことなく安定した状態でベース体９上を平行移動できる。
【００３５】
吸上げチューブ部８はトリガースプレーＡが取り付けられた容器内に収容された液体をシリンダー２へと流入させるための流路で、シリンダー２と一体に形成されていることが好ましい。
尚、この実施形態の吸上げチューブ部８は、容器を倒立させた場合にも吸い上げ可能なものを使っている。
吸上げチューブ部８とシリンダー２の間には、液体の吸い上げを行い、また流入した液体が容器へと逆流することを防ぐためのファーストバルブＶ１が設けられている。
ファーストバルブＶ１は通常の状態ではシリンダー２内に貯留された液体の水圧によって弁座に押し付けられているが、シリンダー２内の液体が噴射された後、ピストン１の戻りにより負圧になると弁座から離れ、通路を開放する。
【００３６】
一方、ハウジング１０はピストン１やスプリング６等を外部からの衝撃、または汚れから守るため或いは握り易くするためのカバーとして機能するもので、その端部に形成されたフック部がベース体９の前方側面及び後方側面に設けられた係合孔９３に係合することによりベース体９に固定される（図１参照）。
【００３７】
次に、本実施形態のトリガースプレーの作動について説明する。
まず、スライダー３に指が当てられ、これがトリガースプレーＡの内方に引き込まれると、天秤アーム７の第２端部７３がスライダー３の内側に形成された底壁部３２（カム面に相当）に沿って移動し、結果、天秤アーム７は連結軸７２を回動軸として上向きに回動する。
このとき、第２端部７３が曲面に形成されているため、スライダー３との摩擦が軽極力低減される。
【００３８】
天秤アーム７の第２端部７３が上向きに回動すると、天秤アーム７がピストン１を下方に押し込むため、シリンダー２内の液体が圧縮される。
このとき、連結軸７２がスライダー３と第２端部７３との当接部、及び天秤アーム７とピストン１との枢着部の間に配設されているため、連結管５はピストン１の移動に十分追従する。
その結果、スライダー３はスムースに動くことができる。
【００３９】
圧縮された液体はピストン１を通り、連結管５を経て、ノズル部４から外部に噴射される。
ノズル部４から液体が噴射された後は、スライダー３から指が離され、スプリング６の復帰力により天秤アーム７が元の位置に戻る。
するとピストン１が上昇するためシリンダー２内の圧力が負圧になり、ファーストバルブＶ１が開放され容器内の液体が吸上げチューブ部８を通じて吸い上げられる。
【００４０】
吸い上げられた液体でシリンダー２内が満たされると、またスライダー３が引き込まれ同様な操作が繰り返される。
【００４１】
以上、本発明をその一実施形態を例に説明したが、本発明は上述した実施形態のみに限定されるものではなく、種々の変形が可能である。
例えば、図９は段部を有するスライダーを示すものであるが、図９（Ｂ）のように、スライダー３に底壁部３２に盛り上がった段部３２Ａ（斜面Ｓを有し断面台形状となっている）が形成されている。
スライダー３を引き込む前の状態において図９（Ａ）のように天秤アーム７の第２端部７３をその斜面Ｓの手前に当接させることにより、天秤アーム７の第２端部７３が上方に移動する際に斜面Ｓに沿って滑り易くすることができる。
そのためスライダー３の移動が極めて滑らかとなる。
【００４２】
またスライダー３の移動をより滑らかにするため、ハウジング１０に図示しないレールを設け、該レールにスライダー３の一部が接して移動するように構成することも可能である。
【００４３】
また、例えば、ノズル部の先端に、複数種の形状の噴射口を有するキャップを取り付け、トリガースプレーの使用時に噴射させる液体の形状を選択できるようにしてもよい。
また、図３に示したように、ノズル部４を閉鎖するためのストッパー１００を設けることが可能である。
それをハウジング１０に掛止させて固定しても良い。
この場合、ストッパー１００の下部に垂下片１０１を設け、これをスライダー３とベース体９との間に掛止させて固定する。  
【００４４】
トリガースプレーの外形は、断面が矩形以外の形、例えば、楕円形、或いは図１０に示すように円形であっても良い。
図１０の場合は、前述したストッパー１００に相当するものが、キャップ状のストッパー１００Ａとなっている。
【図面の簡単な説明】
【００４５】
【図１】図１は、本実施形態のトリガースプレーを示す断面図である。
【図２】図２は、本実施形態のトリガースプレーを示す断面図である。
【図３】図３は、本実施形態のトリガースプレーを示す外観図である。
【図４】図４は、本実施形態のトリガースプレーの展開図である。
【図５】図５は、天秤アームの斜視図であり、（Ａ）は下方から見た斜視図であり、（Ｂ）は上方から見た斜視図である。
【図６】図６は、天秤アームを上方から見た斜視図である。
【図７】図７は、スプリングを示す斜視図である。
【図８】図８は、スライダーを示す斜視図である。
【図９】図９は、段部を有するスライダーを示す図であり、（Ａ）はトリガースプレーの断面図、（Ｂ）は、スライダーを示す斜視図である。
【図１０】図１０は、断面が円形のトリガースプレー外観図である。
【図１１】図１１は、従来のトリガースプレーを示す断面図である。
【符号の説明】
【００４６】
Ａ…トリガースプレー
１…ピストン
１２…係合突起
２…シリンダー
３…スライダー
３１…側壁部
３２…底壁部
３２Ａ…段部
３３…Ｔ字部材
４…ノズル部
５…連結管
６…スプリング
６１Ａ…湾曲バネ部
６１Ｂ…湾曲バネ部
６２Ａ…連結部
６２Ｂ…基部
７…天秤アーム
７Ａ…アーム左部
７Ｂ…アーム右部
７Ｃ…延出部
７１…係合部
７２…連結軸
７３…第２端部
７４…第１端部
７４Ａ…掛止爪
８…吸上げチューブ部
９…ベース体
９１…掛止部
９２…係止部
９３…係合孔
９４…溝部
１０…ハウジング
１００…ストッパー
１０１…垂下片
２０１…ピストン
２０３…スライダー
２０４…ノズル部
２０７…トリガー部材
２１０…ハウジング
Ｂ…容器
Ｋ…切り欠き部
Ｓ…斜面
Ｖ１…ファーストバルブ
【図１】
2010063980.tif 000003
【図２】
2010063980.tif 000004
【図３】
2010063980.tif 000005
【図４】
2010063980.tif 000006
【図５】
2010063980.tif 000007
【図６】
2010063980.tif 000008
【図７】
2010063980.tif 000009
【図８】
2010063980.tif 000010
【図９】
2010063980.tif 000011
【図１０】
2010063980.tif 000012
【図１１】
2010063980.tif 000013